(57)【特許請求の範囲】
【請求項１】
横枠杆と縦枠杆とを有した一の手摺ユニットと、これと並置する別の手摺ユニットとを、隣接ユニットの正背面の少なくとも一部が重なり状態となるように並置するとともに、隣接ユニットの横枠杆の対向側面を、中拡開状の凹陥溝と対応する膨頭状の嵌合突部とからなる長手方向スライド構造を介してスライド可能に連結して、二連以上の並置ユニットを形成し、この左右両端の縦枠杆を隣接躯体側にそれぞれ変動吸収可能に接続した構成を有する手摺型エキスパンションジョイントにおいて、
隣接ユニットが対向する側の横枠杆の側面に中拡開状の凹陥溝を形成し、この対向した凹陥溝の一方に、凹陥溝形に略対応する膨頭状の嵌合突部を対向形成してなるスライド芯材を嵌合固定し、このスライド芯材の突出した嵌合突部を他方の凹陥溝にスライド可能に嵌合した構成を有する手摺型エキスパンションジョイント。
【発明の詳細な説明】
【０００１】
【発明の属する技術分野】
本発明は、渡り廊下など、隣接躯体間を変動吸収可能に連結する手摺型エキスパンションジョイントに関する。
【０００２】
【従来の技術】
近年、マンションなどの建築物は、高層化すると共に、複数棟が並列し或いは隣接躯体が接近する構造が多くなっている。このような構造においては、利用者の利便性を考慮して、外廊下を渡り廊下でつなぎ、その接続部にエキスパンションジョイントを設置するのが、一般的な施工である。
一方、建築物の多くは免震構造を採用しており、上層階ほど水平方向の揺れが大きくなる構造となっている。このため、上層部分の接続部ほど躯体間の隙間が広くなり、エキスパンションジョイントも大きな可動量が要求され、強度的にも風圧力も含めた外圧に対して高強度な構造が要求されることになる。
【０００３】
上記エキスパンションジョイントの床部は、ステンレスなどの金属板を両躯体に渡し、一方の側を一方の躯体床端部に係止させると共に、他方側を他方の躯体床端部に対してスライド可能に載置させる構造が、一般的に採用されている。
これに対して、壁部における接続は、必ずしも満足できる構造とはなっていない現状にあるが、公知の構成を例挙すれば、次のようなものである。
【０００４】
パネル形状の壁部をエキスパンションジョイントとしたものとして、両躯体の端部に、先端側が開口した中空壁状の固定カバーを回転可能なヒンジを用いてそれぞれ設置し、それぞれの固定カバーを大目地壁、小目地壁とし、小目地壁を大目地壁内にスライド自在に挿入して配設した構成、或いは、上記同様に両躯体側にヒンジを介して固定カバーをそれぞれ設置すると共に、両固定カバー間に可動カバーを介装させ、可動カバーはその両側部を両固定カバー内にスライド自在に挿入して配設した構成が示されている。これらの構成によれば、隣接躯体同士のずれ合いにより生じる躯体に対する可動カバーの角度変化はヒンジにより吸収でき、躯体方向の移動により生じる固定カバー間隔の変化は挿入状態のカバーのスライド変化で吸収できるが、一方の固定カバーを挿入するための或いは可動カバーを挿入するための固定カバー部は強度を持たせるために骨材が大きくなり、壁厚を大きく取ることから、大重量となる負担があり、各カバーの内外両面には化粧カバーとしてのパネル貼りが不可欠であり、施工物件ごとに設計が異なることから、物件ごとに骨材などの対応設計が必要で、製作上の制約も生じ、建築費が高価となるなどの問題がある。
【０００５】
上記大目地壁と小目地壁とを、一方の一側面に突設させた係止具をスライド移動可能に係止させて、摺動可能に並設した構成も開示されているが、この構成も上記問題点と共に、大目地壁と小目地壁とをそれぞれ別々に対応設計する必要があるなど、製作上、建築費上の問題点がある。
【０００６】
また、積層パネル並設状の壁部をエキスパンションジョイントとしたものとして、一定幅を有し一側に折返し構造を有する複数枚の単位パネル材を、約半分が重なり合うようにして面状に順次並設して並設パネル壁面となし、この構造の二壁面を間隔を置いて内外壁面として対向設置し、この内外壁面間に多段パンタグラフ状支持機構を配設し、この支持機構は、交点を枢着したＸ状杆体を複数個並列させて各Ｘ端部同士を枢支連結することにより変形自在な菱形（単位パンタグラフ）の連続形とした構成とし、上記内外壁面は上記支持機構に連動してスライドして壁面が広がり或いは狭まるようにするために、各単位パンタグラフの枢支部と対向する内外壁面の各単位パネル材とをそれぞれ連結させて、積層パネル並設状の壁部を形成し、この壁部の両端を隣接躯体端部に回転可能なヒンジを用いて取り付けた構成が示されている。この構成によれば、隣接躯体の水平方向の変動を吸収することができ、壁部の幅に対して有効な可動量を大きく取れる利点があるが、構造が非常に複雑であり、部材数も多く、大重量となる負担があり、目的に適合した設計変更が難しく、建築費が高価となるなどの問題がある。
【０００７】
また、手摺り形状を有するエキスパンションジョイントとしては、両躯体の端部に回転可能にヒンジを用いて柱を立設し、両柱に水平な固定パイプの元端部を固定して、上下多段の水平固定パイプを張出し設置し、可動パイプの両側部を両固定パイプ内にスライド自在に挿入することにより、両固定パイプ間に可動パイプを配設した構成が示されている。この構成によれば、隣接躯体の水平方向の変動を吸収することができると共に、前記パネル形状の壁部に代えて多段のパイプを使用したことにより、上記二例に比較して、構造がより簡便で、軽量となり、パイプの長さを変えるだけで、目的に応じた可動量が得られる利点があるが、パイプが水平に設置されるため、梯子と同様にこれを足がかりとして子供が登りやすいなど、安全上に問題があり、高所の構造としては不適当である。
【０００８】
さらに、手摺り形状のものとして、両躯体の端部に回転可能にヒンジを用いて柱を立設し、両柱の上下両端部には元端部を固定して水平な固定パイプを張出し設置し、上下の固定パイプ間に一定間隔で立子（縦杆）を取り付け、両躯体側の固定パイプ間には、両側部を両固定パイプ内にスライド自在に挿入した可動パイプを配設し、上下の可動パイプ間に一定間隔で立子を取り付けた構成が示されている。この構成によれば、隣接躯体の水平方向の変動を吸収することができると共に、パイプ使用により、構造が簡便で軽量となり、パイプの長さを変えるだけで、目的に応じた可動量が得られる利点があるが、両躯体が接近したときに固定パイプの立子と可動パイプの立子とがぶつからないように立子を配設しなければならず、このため両躯体が離隔して、固定パイプに対して可動パイプが引き出された状態となったときに、固定パイプ間に立設した立子と可動パイプ間に立設した立子との間が離れて、広い間隔が空いてしまい、子供が通り抜けやすくなってしまう問題があり、高所の構造としては不適当である。
上記水平な固定パイプを柱の上部にだけ設置し、柱の下部をパネル構造とすることもできるが、これでは前記パネル形状の壁部と同様の構造となり、同様の問題点を解決することができない。
【０００９】
【発明が解決しようとする課題】
本発明は、上記のような問題点を解消し、隣接躯体間に設置するエキスパンションジョイントを簡潔かつ軽量な構成で、かつ十分な強度を持ち、施工現場に応じて設計変更をしやすい構成とし、躯体変動に十分に対応しつつ設置安定性にすぐれ、高所に設置する場合であっても格子の間隙が広がってしまうことがなく、格子間隙を一定に保つことができ、高所にも設置可能なものとして提供せんとするものである。
【００１０】
【課題を解決するための手段】
上記課題を解決するために、本発明は、横枠杆と縦枠杆とを有した一の手摺ユニットと、これと並置する別の手摺ユニットとを、隣接ユニットの正背面の少なくとも一部が重なり状態となるように並置するとともに、隣接ユニットの横枠杆の対向側面を、中拡開状の凹陥溝と対応する膨頭状の嵌合突部とからなる長手方向スライド構造を介してスライド可能に連結して、二連以上の並置ユニットを形成し、この左右両端の縦枠杆を隣接躯体側にそれぞれ変動吸収可能に接続した構造を有する手摺型エキスパンションジョイントにおいて、隣接ユニットが対向する側の横枠杆の側面に中拡開状の凹陥溝を形成し、この対向した凹陥溝の一方に、凹陥溝形に略対応する膨頭状の嵌合突部を対向形成してなるスライド芯材を嵌合固定し、このスライド芯材の突出した嵌合突部を他方の凹陥溝にスライド可能に嵌合して手摺型エキスパンションジョイントを構成したことを特徴とするものである。
上記において、横縦枠体は、上下部の横枠杆と左右両側端部の縦枠杆とし、上下横枠杆の間において両縦枠杆間に所定ピッチの立子乃至板体を配設して手摺ユニットを形成した構成とするのが好ましい。
手摺型エキスパンションジョイントが、手摺ユニット二連で構成されている場合は、各ユニットの外側端の縦枠杆が隣接躯体側にそれぞれ連結され、三連以上の手摺ユニットで構成されている場合は、左右両端の手摺ユニットの外側端の縦枠杆が隣接躯体側にそれぞれ連結され、中間の手摺ユニットは両面が両側の手摺ユニットとスライド可能に連結されている。
【００１２】
上記構成により、横枠杆と縦枠杆とを互に接続固定して手摺ユニットとし、同一形態状の複数の手摺ユニットを用いて並置ユニットを組み立てることができる。従って、長尺状の横枠杆を任意長さに切断して組み立てれば、所望の長さ、大きさの手摺ユニットを得ることができ、どのような躯体間隙にも適切に合致した手摺ユニットを得ることができる。構成及び製造が簡便であると同時に、連設部が連続していて強度を高く維持することができる。スライド芯材を用いれば横枠杆全体を支持し、対向する横枠杆の溝に嵌合してスライドすることにより、変動機能性にすぐれ、手摺ユニット同士の連設状態を安定して支持し得る並置ユニットとすることができる。
枠杆の間に設けた各立子は、躯体間隙が変動し手摺ユニットが移動しても、一定で変化することがなく、手摺の安全性を維持し得る。
【００１３】
【発明の実施の形態】
以下、本発明の一実施例を図面によって説明する。
隣接躯体Ａ，Ｂ（例えば渡り通路Ａ，Ｂ）間の間隙Ｃを跨ぐ手摺型エキスパンションジョイントの構造は、図１，２に示すように、躯体Ａに立設した支柱（或いは壁部）２に床面と平行方向に回転自在なヒンジ４を介して手摺ユニット１Ａを接続し、躯体Ｂに立設した壁部（或いは支柱）３に床面と平行方向に回転自在なヒンジ４を介して手摺ユニット１Ｂを接続し、手摺ユニット１Ａ，１Ｂは正背面の先端側の約半分部分が重なり合うように平行状に配設すると共に、両ユニットの横枠杆にスライド芯材５を嵌合させて、両ユニットを互いにスライド可能に連結して並置ユニットとしたものとしてある。
手摺ユニット１Ａ，１Ｂの重なり合う幅は任意でよいが、躯体間隙Ｃの間隙幅と略々同幅とし、従って手摺ユニット１Ａ（１Ｂ）の横長さは躯体間隙Ｃの間隙幅の略々２倍に設定するのが、最大の変動幅を確保し、吸収分を大きく確保できるので好ましい。ヒンジ４，４は、支柱乃至壁部に対して上下方向にスライド可能なようにばね付勢状態で取り付けるのが好ましい。
【００１４】
隣接躯体Ａ，Ｂ間の間隙Ｃを塞ぐ床面構造は任意であるが、図では、躯体Ａの端部に間隙方向に平行状の鉤縁部を有した固定部材６を固着すると共に、この鉤縁部に目地パネル７の折曲端部をスライド可能に係止８し、この目地パネル７の約半面を躯体Ｂ端部の床面上にスライド可能に重合させてある。
躯体の間隙方向への変動は係止８した両部分のスライドにより吸収でき、躯体の間隙幅方向への変動は重合した目地パネル７のずれによって吸収される。
【００１５】
並置ユニットを形成する手摺ユニット１Ａ，１Ｂは同形態の構成である。左右両端に設置した縦枠杆１１，１１の上下端部に、上下の横枠杆１２，１２の両端部を連結固定して枠体を形成し、両縦枠杆１１，１１間に子供が通り抜け不能な一定間隔を置いて複数本の棒状の立子１３を上下両横枠体間に亘って立設してある。
上記横枠杆１２は、図３，４に示すように、断面Ｕ字形状の型材１２ａの一側面を中空二重側面とすると共にその外側面中間部に長手方向に沿った開口部を形成することにより中拡開状の凹陥溝１２ｂを形成し、かつ、この一側面上部と他側面の外側面を凹凸部を有するカバー材係合面１２ｃとし、両側面内側に長手方向に平行した丸穴を有したねじ止め用突条１２ｄを形成した構成とし、好ましくはアルミニウム押出型材として形成してある。
また、上の横枠杆１２には、断面逆Ｕ字状の両側面内側にカバー材係合面１２ｃ，１２ｃに被嵌係合する凹凸部を有したカバー材１２ｅを嵌合させてある。下の横枠杆１２にも同様のカバー材１２ｅを嵌合させておくこともできる。
上記横枠体１２は、少なくとも一側面に凹陥溝１２ｂを形成してあれば、四角柱、多角柱など任意形態とすることができる。四角柱などとした場合には上記カバー材１２ｅは不要である。縦枠杆１１は、四角柱など任意柱体とし、好ましくはアルミニウム押出型材として形成してある。
【００１６】
スライド芯材５は、横枠杆１２の凹陥溝１２ｂの開口部に挿通する芯部５ｂの両側に、嵌合溝内にスライド可能に嵌合する膨頭状の嵌合突部５ａを対向形成してあり、好ましくはアルミニウム押出型材として形成してある。
なお、上記嵌合突起５ａと凹陥溝１２ｂはスライド可能に嵌合し開口部から抜け外れることのない形状であって、略々対応した形状としてあれば、蟻形状、丸蟻形状、かま頭形状、Ｔ字形状、角形状、丸形状、その他の任意膨頭状形状、及びこれと対応する任意の中拡開形状とすることができる。
【００１７】
手摺ユニット１Ａ乃至１Ｂは、上下の横枠杆１２の内、少なくとも先端側（ヒンジ４連結側の縦枠杆とは反対端の縦枠杆１１側）の端部においては、縦枠杆１１の端部が上下面に当接して固定し、凹陥溝１２ｂが先端に至って開放しているように設置してあるのが好ましい。
手摺ユニット１Ａは、上下の横枠杆１２の凹陥溝１２ｂに、横枠杆の略々全長に亘る長さのスライド芯材５の片側の嵌合突起５ａを先端側から挿入した上で、ねじなどで両者を固定して形成してある。
手摺ユニット１Ｂは、上下の横枠杆１２の凹陥溝１２ｂにスライド芯材５を挿入しない構成として形成するが、両手摺ユニット１Ａ，１Ｂはその略々半面を重ね合わせるに際し、手摺ユニット１Ａに装着されているスライド芯材５の露出して突出している嵌合突起５ａを手摺ユニット１Ｂの凹陥溝１２ｂを、手摺ユニット先端側からスライド嵌合させることにより、連設した並置ユニットを形成することができる。
【００１８】
上記手摺型エキスパンションジョイントによれば、図５に示すごとく、隣接躯体Ａ，Ｂが変動しても、ヒンジ４によって手摺ユニット１Ａ，１Ｂが回動しつつ、スライド芯材５によってスライド自在に連設してある手摺ユニット１Ａ，１Ｂが互いにずれ合うことにより、躯体間隙Ｃの間隙方向、幅方向或いは回転方向などあらゆる方向の変動に追従することができる。
【００１９】
なお、図示していないが、上記手摺ユニット１Ａを手摺ユニット１Ｂの一端部に重なり合って連設すると共に、この手摺ユニット１Ｂの同側他端部に別の手摺ユニット１Ａの一端部を重ね合って連設することにより、手摺ユニットを三連以上連設した並置ユニットを形成することができ、この並置ユニットの両端の縦枠杆を隣接躯体側にヒンジを介して固定し、手摺型エキスパンションジョイントを構成することができる。
また、両側面に凹陥溝１２ｂを形成して横枠杆１２を形成し、この横枠杆１２を用いてスライド芯材固着の手摺ユニット１Ａ，スライド芯材無固着の手摺ユニット１Ｂを形成することもできる。この手摺ユニット１Ａ，１Ｂを交互に順次反対側面に連設することにより、手摺ユニットを三連以上連設した並置ユニットを形成することができ、この並置ユニットによっても手摺型エキスパンションジョイントを構成することができる。
上記いずれの場合においても、横枠杆の凹陥溝は、手摺ユニットの左右両端に至って形成してあるのが好ましい。
【００２０】
図６は、上記実施例と異なる別の一実施例を示している。縦枠杆２１は上記例の縦枠杆１１と同様でよく、横枠杆２２及びその連結構成を上記例と異なる形態としてある。横枠杆２２は、四角形などの筒形とし、ステンレスなどで形成することができる。対向する横枠杆２２、２２の対向する側面には、互いにスライド自在に嵌合可能な溝部材２３とスライド芯材２４が固着されている。
溝部材２３は、横枠杆側面への接合面と凹陥溝２３ａを正背両面に形成し、凹陥溝２３ａは前記同様な中拡開状に形成し、その底面にはビス固着可能なビス頭用受け溝を形成したものとし、一方の横枠杆２２の側面にビス固着してある。スライド芯材２４は、横枠杆側面への接合面と膨頭状の嵌合突部２４ａを正背両面に形成し、嵌合突部２４ａは上記凹陥溝にスライド自在に嵌合可能に形成し、その頂面にはビス固着可能なビス頭用受け溝を形成したものとし、他方の横枠杆２２にビス固着してある。
このようにして、ステンレス製枠杆なども容易に使用することができる。
【００２１】
図６では、上下の横枠杆２２、２２間をアルミニウム製パンチングパネル２５で塞いだ構成を示してある。上枠杆２２の下面と下枠杆２２の上面に上下対称の断面略凸形状の支持材２６をビス固着し、この側面にパネル２５の上下端部を当接し、当接面反対側から縁枠材２７を当て、これらをビス２８を通して固着してある。
なお、図示しないが、上記と異なる実施例として、対向する横枠杆の対向する側面を、一方は中拡開状の凹陥溝を有した形態に形成し、他方はこの凹陥溝形に略対応する膨頭状の嵌合突部を突設した形態に形成し、この嵌合突部を上記凹陥溝にスライド可能に嵌合して、対向する横枠杆同士をスライド自在に連結することもできる。
【００２２】
【発明の効果】
本発明によれば、簡潔かつ軽量な構成とすると共に、十分な強度を持ち、施工現場に応じた設計変更をしやすい構成とし、躯体変動に十分に対応でき、かつ、十分な設置安定性を有し、高所に設置する場合であっても格子の間隙が広がってしまうことがなく、格子間隙を一定に保つことができるので、高所にも設置可能な手摺型エキスパンションジョイントとすることができる。
【図面の簡単な説明】
【図１】本発明に係る手摺型エキスパンションジョイントの一実施例を示す正面略図。
【図２】図１のエキスパンションジョイントの平面略図。
【図３】図１の手摺部分のＩＩＩ−ＩＩＩ線断面図。
【図４】図３の上部手摺部分の構造を拡大して示した分解斜視図。
【図５】躯体の変動に伴うエキスパンションジョイントの変動状態を図２との対比で示した平面略図。
【図６】本発明の別の一例を示す手摺部分の構造を拡大して示した分解斜視図。
【符号の説明】
１Ａ，１Ｂ    手摺ユニット
２        支柱
３        壁部
４        ヒンジ
５        スライド芯材
５ａ      嵌合突起
５ｂ      芯部
６        固定部材
７        目地パネル
８        係止
１１        縦枠杆
１２        横枠杆
１２ａ      型材
１２ｂ      凹陥溝
１２ｃ      カバー材係止面
１２ｄ      ねじ止め用突条
１２ｅ      カバー材
１３        立子
２１        縦枠杆
２２        横枠杆
２３        溝部材
２３ａ      凹陥溝
２４        スライド芯材
２４ａ      嵌合突部
２５        パネル
２６        支持材
２７        縁枠材
２８
【図１】
0003708420.tif 000002
【図２】
0003708420.tif 000003
【図３】
0003708420.tif 000004
【図４】
0003708420.tif 000005
【図５】
0003708420.tif 000006
【図６】
0003708420.tif 000007